(57)【特許請求の範囲】
【請求項１】
対象物担持体のための保持部材であって、
対象物担持体（２）の下方中央部に繰り抜き部（３ａ）を備えた、対象物担持体（２）を担持するベースプレート（３）と、
対象物担持体（２）に対しベースプレート（３）にほぼ平行に力（Ｆ）を及ぼす弾性要素（４）と、
対象物担持体（２）の縁と接触し、弾性付勢されている対象物担持体（２）をベースプレート（３）のほうへ押す当接面（３ｃ）と、
を備えた前記保持部材において、
繰り抜き部（３ａ）の縁がベースプレート（３）に埋没状に形成されて対象物担持体（２）のための載置面（３ｂ）を形成していること、
載置面（３ｂ）が当接面（３ｃ）へ一体的に且つ連続的に移行していること、
載置面（３ｂ）と当接面（３ｃ）との間の領域がアンダーカット（５）を形成していること、
当接面（３ｃ）が対象物担持体（２）の上面よりも下方にして対象物担持体（２）の水平中心面よりも上方において対象物担持体（２）と接触していること、
を特徴とする保持部材。
【請求項２】
顕微鏡テーブル（７）と、この顕微鏡テーブル（７）のテーブル表面（７ａ）上方に配置されている、請求項１に記載の、対象物担持体（２）用の保持部材（１）とを備え、観察されるプレパラートから切断されたプレパラート片を、繰り抜き部（３ａ）を通じて、捕獲装置の少なくとも１つの容器であって顕微鏡テーブル（７）により担持されている前記少なくとも１つの容器内へ持ち来たし可能である、プレパラートをレーザー切断するための装置。
【請求項３】
プレパラート片をレーザー光線により切り出し可能であることを特徴とする、請求項２に記載の装置。
【請求項４】
複数個の容器が設けられ、保持部（１）とテーブル表面（７ａ）との間に汚染防護板（１７）を挿入可能であり、汚染防護板（１７）は不必要な容器をすべて覆い、切り出したプレパラート片を持ち来たすべき容器のみを開放することを特徴とする、請求項２または３に記載の装置。
【発明の詳細な説明】
【０００１】
【発明の属する技術分野】
本発明は、対象物担持体のための保持部材であって、対象物担持体の下方中央部に繰り抜き部を備えた、対象物担持体を担持するベースプレートと、対象物担持体に対しベースプレートにほぼ平行に力を及ぼす弾性要素と、対象物担持体の縁と接触し、弾性付勢されている対象物担持体をベースプレートのほうへ押す当接面とを備えた前記保持部材に関するものである。
さらに本発明は、プレパラートレーザー切断装置にも関わる。プレパラートレーザー切断装置は、顕微鏡ｘ−ｙテーブルと、この顕微鏡ｘ−ｙテーブルのテーブル表面上方に配置され、ｘ方向およびｙ方向に位置調整可能な、対象物担持体位置決め用の保持部材とを備えている。保持部材のベースプレートには、対象物担持体用の載置面と当接面とを有する繰り抜き部が設けられ、弾性要素を介して繰り抜き部の当接面に対して押圧せしめられる対象物担持体で支持されたプレパラートがテーブル表面に対向するように繰り抜き部内に対象物担持体が配置されている。さらに、切断されたプレパラートを捕獲するための少なくとも１つの容器を備える捕獲装置が設けられ、捕獲装置は、保持部材とテーブル表面との間に形成された自由作業空間に供給可能である。
【０００２】
【従来の技術】
顕微鏡テーブル上に対象物担持体を位置決めするための保持部材としては、実際種々の実施形態のものが知られている。最も簡単な実施形態によれば、対象物担持体は、顕微鏡テーブル上に配置される２つの弾性クランプによって保持される。弾性クランプは、その弾性脚部と顕微鏡テーブルの表面との間で対象物担持体を締め付ける。この種の固定態様は顕微鏡の光軸に対し対象物担持体を正確に且つ再現可能に位置決めすることはできないという事情があるが、それ以外にもこの保持部材には、弾性クランプが顕微鏡テーブルの上面に配置されるため、顕微鏡の対物レンズと衝突することがあるという欠点がある。
【０００３】
保持部材を平坦に構成するため、保持部材に顕微鏡テーブル上に固定可能なベースプレートを設けることが実際知られている。ベースプレートには、対象物担持体を受容するため、平坦な載置面と、この載置面に対しほぼ直角に延びている対象物担持体用の当接面とを有する繰り抜き部が形成されている。繰り抜き部に配置される対象物担持体は、少なくとも１つの弾性要素を介してほぼ水平方向の押圧力の作用を受け、繰り抜き部の当接面に対し押圧せしめられる。この公知の保持部材の場合、ベースプレートの載置面と当接面は、シリンダフライスを備えたフライス装置を用いて形成される。しかし、シリンダフライスの刃先形状に起因して、載置面から当接面への移行部を正確に直角に形成するのは不可能である。むしろ移行領域には常に角度を持った段部が残り、この段部の上に対象物担持体が載ることになる。繰り抜き部内部のこの位置で弾性要素の押圧力が作用すると、対象物担持体がスリップすることがあり、或いは繰り抜き部から押出されることがある。対象物担持体がスリップする危険は、破断により生じた側部エッジが対象物担持体を正確に直角に形成させないことによってもさらに増大する。
【０００４】
【発明が解決しようとする課題】
本発明の課題は、冒頭で述べた種類の保持部材において、対象物担持体を確実に保持でき、且つ再現可能に位置決めすることができるように保持部材を構成することである。
【０００５】
さらに本発明の課題は、このような保持部材を備えたプレパラートレーザー切断装置を提供することである。
【０００６】
保持部材に関わる課題は、本発明によれば、繰り抜き部の縁がベースプレートに埋没状に形成されて対象物担持体のための載置面を形成していること、載置面が当接面へ一体的に且つ連続的に移行していること、載置面と当接面との間の領域がアンダーカットを形成していること、当接面が対象物担持体の上面よりも下方にして対象物担持体の水平中心面よりも上方において対象物担持体と接触していることによって解決される。
【０００７】
本発明による保持部材では、当接面が上記のように構成されているので、弾性要素の水平方向の押圧力が分割されて、ほぼ繰り抜き部の載置面に指向する力成分が対象物担持体に作用することにより、面圧が増大し、よって対象物担持体は確実に且つスリップすることなく所定の位置で保持される。
【０００８】
水平方向の押圧力が対象物担持体を傾倒運動させて、これをベースプレートの繰り抜き部から押出さないようにするため、繰り抜き部の前記少なくとも１つの当接面は、載置面から離間して対象物担持体の水平中心面の上方に設けられた領域においてのみ対象物担持体の当接側と接触するように形成されている。
【０００９】
本発明によれば、載置面から当接面への移行領域にして当接面内に、対象物担持体との接触領域をフリーカットする(freischneiden)アンダーカットが形成されている。繰り抜き部の少なくとも１つの当接面を本発明に従って構成する上でこのアンダーカットの形成は非常に簡単に形成可能で、低コストの方法である。
【００１０】
プレパラートレーザー切断装置に関わる課題を解決するため、該プレパラートレーザー切断装置は、顕微鏡テーブルと、この顕微鏡テーブルのテーブル表面上方に配置されている対象物担持体用の前記保持部材とを備え、観察されるプレパラートから切断されたプレパラート片を、繰り抜き部を通じて、捕獲装置の少なくとも１つの容器であって顕微鏡テーブルにより担持されている前記少なくとも１つの容器内へ持ち来たし可能である。
【００１２】
【発明の実施の形態】
次に、本発明の実施形態を添付の図面を用いて詳細に説明する。
図１と図２は、対象物担持体（たとえばスライドガラス）２を位置決めするための保持部材１の斜視図である。なお対象物担持体２は図２にのみ図示した。保持部材１はベースプレート３を有し、ベースプレート３には、図２からわかるように、対象物担持体２を受容するための繰り抜き部３ａが成形されている。ベースプレート３の繰り抜き部３ａは次のように成形されており、すなわち図３と図４からわかるように、平坦な載置面３ｂと、この載置面３ｂに対しほぼ直角に延びている少なくとも１つの当接面３ｃとを有するように成形されている。当接面３ｃは、繰り抜き部３ａに取り付けられる対象物担持体２を接触させるためのものである。
【００１３】
対象物担持体２をベースプレート３の繰り抜き部３ａに確実に且つ位置正確に固定するため、保持部材１はさらに弾性要素４を有している。この弾性要素４を介して、図３と図４に図示したように、ほぼ水平方向に作用する押圧力Ｆが対象物担持体２に対し作用を及ぼす。この押圧力Ｆにより、対象物担持体２は繰り抜き部３ａの少なくとも１つの当接面３ｃに対して押圧せしめられる。
【００１４】
図３は、対象物担持体２を位置決めするための保持部材１の従来の構成を示す部分図である。保持部材１のベースプレート３には繰り抜き部３ａが次のように成形されており、すなわち繰り抜き部３ａが載置面３ｂと、繰り抜き部３ａに取り付けられる対象物担持体２を接触させるための当接面３ｃとを形成するように成形されている。繰り抜き部３ａはシリンダフライスにより成形されているので、載置面３ｂから当接面３ｃへの移行領域に傾斜部３ｄが形成され、この傾斜部３ｄに、図３からわかるように、繰り抜き部３ａに取り付けられた対象物担持体２が当接する。
【００１５】
いま、図３には図示していないが（その他の図面を参照）、弾性要素４を介して水平方向の押圧力Ｆが当接面３ｃの方向において対象物担持体２に作用すると、この押圧力Ｆのために、対象物担持体２は傾斜部３ｄに沿って変位し、或いは繰り抜き部３ａから押出される。したがってこの保持部材１では、対象物担持体２の確実で再現可能な位置決めは保証されていない。
【００１６】
これに対して、図４に図示した保持部材１では、弾性要素４の水平方向の押圧力Ｆは、繰り抜き部３ａの当接面３ｃが図示のごとく構成されているため、複数の力成分ＦＳとＦＡに分解される。この場合、特に、載置面３ｂのほうへ指向している下向きの力成分ＦＡが重要である。というのは、この下向きの力成分ＦＡにより、対象物担持体２は大きな面圧で位置正確に繰り抜き部３ａのなかへ押し込まれるからである。
【００１７】
図４に図示した繰り抜き部３ａの当接面３ｃの実施形態では、載置面３ｂから当接面３ｃへの移行領域にアンダーカット５が形成されている。アンダーカット５は、対象物担持体２と当接面３ｃとの間に幅狭の接触領域だけが生じるように構成されている。この接触領域が載置面３ｂのほうへ指向している力成分ＦＡを常に対象物担持体２に対して生じさせるようにするためには、この接触領域は対象物担持体２の水平中心面の上方において対象物担持体２に係合する必要がある。
【００１８】
図５と図６は、プレパラートをレーザー切断するための装置６を示している。このレーザー切断装置６は、従来の顕微鏡（図示せず）に取り付けることのできる顕微鏡ｘ−ｙテーブル７を有している。顕微鏡ｘ−ｙテーブル７は手動または電動で、十字二重矢印８で示した方向ｘ,ｙに走行することができる。特に透過型顕微鏡として作動する顕微鏡は、図５と図６に一点鎖線で示した光軸９を定義する。
【００１９】
特に図６からわかるように、顕微鏡ｘ−ｙテーブル７は定置のベースプレート１０を有し、図示した実施形態の場合、このベースプレート１０の上にｙ方向に走行可能なプレート１１が配置されている。走行可能なプレート１１上には、ｘ方向に走行可能なリニアガイド１２が配置されている。リニアガイド１２上にはスペーサー１３が固定され、スペーサー１３は、図１および図２の保持部材１を受容し且つ対象物担持体２を位置決めするための担持台１４を担持している。保持部材１はスペーサー１３により顕微鏡ｘ−ｙテーブル７のテーブル表面７ａから離間して、保持部材１とテーブル表面７ａとの間に自由な作業空間１５が形成されている。
【００２０】
透過型顕微鏡を使用するため、顕微鏡ｘ−ｙテーブル７には繰り抜き部１６が形成され、繰り抜き部１６は、光軸９がこの繰り抜き部１６を通過するように顕微鏡に対し配置されている。同様に、保持部材１のベースプレート３に設けた繰り抜き部３ａと、保持部材の受容に用いる担持台１４の自由空間も、光軸９上にあるように互いに対して且つ顕微鏡に対し指向している。
【００２１】
プレパラートをレーザー切断するための装置６を使用するため、対象物担持体２下方の自由作業空間１５に、少なくとも１つの容器を有する捕獲装置（図示せず）を供給可能である。この捕獲装置は、対象物担持体２の上に配置されているプレパラートからレーザー光線により切り出されたプレパラート一部分を捕獲するために用いる。このためには、対象物担持体２上に配置されるプレパラートが対象物担持体２のテーブル表面７ａ側に配置されていることが必要である。
【００２２】
図５によれば、保持部材１とテーブル表面７ａの間には、補助的にいわゆる汚染防護板１７が配置されている。汚染防護板１７は、切り出されたプレパラート一部分を捕獲するために用いる容器内に不純物が侵入するのを防止するためのものである。このため汚染防護板１７は、いままさにプレパラート一部分の捕獲に必要としない容器をすべて覆う。
【００２３】
本発明に従って構成された対象物担持体２位置決め用の保持部材１を使用することにより、対象物担持体２を不動に位置正確且つ再現可能に光軸９上に位置するように顕微鏡ｘ−ｙテーブル７上に配置することができる。
【図面の簡単な説明】
【図１】本発明による保持部材のベースプレートの斜視図である。
【図２】ベースプレートの繰り抜き部に対象物担持体を取り付けた図１の保持部材の斜視図である。
【図３】従来の保持部材の部分断面側面図である。
【図４】本発明による保持部材の部分断面側面図である。
【図５】本発明によるプレパラートレーザー切断装置を正面から見た斜視図である。
【図６】図５のプレパラートレーザー切断装置を側方から見た斜視図である。
【符号の説明】
１                  保持部材
２                  対象物担持体
３                  ベースプレート
３ａ                繰り抜き部
３ｂ                載置面
３ｃ                当接面
４                  弾性要素
５                  アンダーカット
７                  顕微鏡ｘ−ｙテーブル
７ａ                テーブル表面
１５                自由作業空間
【図１】
0004199950.tif 000002
【図２】
0004199950.tif 000003
【図３】
0004199950.tif 000004
【図４】
0004199950.tif 000005
【図５】
0004199950.tif 000006
【図６】
0004199950.tif 000007